(57)【要約】【課題】玄関ドアの補修の手間を軽減させ、補修コストを低減させることを課題とする。【解決手段】玄関ドア１０を、単独でも玄関ドアとして使用可能なドア基材２０と、このドア基材の表面２１に対して着脱可能に取り付けられた板状の化粧板（ドア副材）３０とを備える構成にした。ドア基材の表面２１に化粧板３０を挿入して取り付け可能な凹部２４を形成し、化粧板３０が凹部２４に挿入されてドア基材２０に対して着脱可能に取り付けられる構成にすると、なおよい。ドア基材とドア副材との間に、調整ビスの回し操作に応じて同ドア基材と同ドア副材とを互いに固定または解放させる取付金具を設けてもよい。【選択図】図２
2006138076.tif 000002
【特許請求の範囲】
【請求項１】
単独でも玄関ドアとして使用可能なドア基材と、このドア基材の表面に対して着脱可能に取り付けられた板状のドア副材とを備えることを特徴とする玄関ドア。
【請求項２】
上記ドア基材の表面には、上記ドア副材を挿入して取り付け可能な凹部が形成され、
上記ドア副材は、上記凹部に挿入されて上記ドア基材に対して着脱可能に取り付けられることを特徴とする請求項１に記載の玄関ドア。
【請求項３】
上記凹部には上下左右の内側面のいずれかにおける上記表面側の縁部から相対向する内側面に向かって延出した延出部が形成されているとともに、当該延出部における上記表面側とは反対側の面と上記ドア副材における上記表面側の上部との間で着脱可能に嵌合する嵌合構造が形成されていることを特徴とする請求項２に記載の玄関ドア。
【請求項４】
上記延出部が形成される内側面には、上記ドア基材と上記ドア副材との間を埋めるスペーサが設けられていることを特徴とする請求項３に記載の玄関ドア。
【請求項５】
上記ドア基材と上記ドア副材との間には、調整ビスの回し操作に応じて同ドア基材と同ドア副材とを互いに固定または解放させる取付金具が設けられていることを特徴とする請求項１〜請求項４のいずれかに記載の玄関ドア。
【請求項６】
上記凹部には、上下左右の内側面のいずれかにおける上記表面側の縁部から相対向する内側面に向かって延出した延出部が形成され、
上記ドア副材には、上記延出部が形成された内側面に対応する位置の縁部に当該延出部を挿入させる溝が形成され、
上記ドア副材の上記相対向する内側面に対応する位置の縁部における上記表面側とは反対側の面と上記ドア基材の凹部との間に、調整ビスの回し操作に応じて同ドア基材と同ドア副材とを互いに固定または解放させる取付金具が設けられていることを特徴とする請求項２に記載の玄関ドア。
【請求項７】
上記取付金具は、上記ドア基材に取り付けられて上記ドア副材に向かって延出するとともに先端部が垂直方向に突出した第一の取付金具と、上記ドア副材に取り付けられて上記ドア基材に向かって延出するとともに先端部が垂直方向に突出して同第一の取付金具の先端部と係合可能とされた第二の取付金具とから構成され、
上記ドア基材には、上記表面側と当該表面側の反対側となる裏面側とを貫通して上記第一の取付金具に設けられる上記調整ビスを回す操作を可能にさせる貫通穴が形成され、
上記調整ビスは、上記第一の取付金具に設けられるとともに、上記貫通穴に挿入された当該調整ビスを回すための工具の回し操作に応じて上記第一および第二の取付金具の先端部どうしを互いに係合または解放させることを特徴とする請求項５または請求項６に記載の玄関ドア。
【請求項８】
上記凹部には、上下左右の内側面のうち相対向する内側面にそれぞれ凹形状の第一および第二の係合用凹部が形成され、
上記ドア副材には上記第一の係合用凹部に対して挿入抜脱可能な第一の取付金具と上記第二の係合用凹部に対して挿入抜脱可能な第二の取付金具とが取り付けられ、当該第一および第二の取付金具は互いに吸引し合うように磁気を帯びているとともに調整ビスの回し操作に応じて上記第一および第二の係合用凹部に対して挿入抜脱して上記ドア基材と同ドア副材とを互いに固定または解放させることを特徴とする請求項２に記載の玄関ドア。
【請求項９】
上記ドア副材が複数種類設けられ、当該複数種類のドア副材が選択的に上記ドア基材の表面に対して着脱可能に取り付けられることを特徴とする請求項１〜請求項８のいずれかに記載の玄関ドア。
【請求項１０】
上記ドア副材における上記表面側とは反対側の面には、当該ドア副材の反りを防止する反り防止機構が設けられていることを特徴とする請求項１〜請求項９のいずれかに記載の玄関ドア。
【請求項１１】
単独でも玄関ドアとして使用可能であるとともに、表面に対して板状のドア副材が着脱可能に取り付けられることを特徴とする玄関ドア用ドア基材。
【請求項１２】
板状であるとともに、単独でも玄関ドアとして使用可能なドア基材の表面に対して着脱可能に取り付けられることを特徴とする玄関ドア用ドア副材。
【発明の詳細な説明】
【技術分野】
【０００１】
本発明は、玄関ドア、玄関ドア用ドア基材および玄関ドア用ドア副材に関する。
【背景技術】
【０００２】
従来、特許文献１には、概略、パネル本体の表裏に一対の化粧板を接着して構成した玄関ドアが開示されている。化粧板の剥がれや割れ等、玄関ドアを補修する必要が生じたときには、補修業者が代わりの代替ドアを用意し、補修対象の玄関ドアの代わりに代替ドアを嵌めたうえで、補修対象の玄関ドアを持ち帰って補修している。
【特許文献１】特開２００３−２８６７９１号公報
【発明の開示】
【発明が解決しようとする課題】
【０００３】
上述した従来の技術では、玄関ドアを補修する際に代替ドアを準備し、さらに玄関ドア全体を持ち帰る必要があるので、補修に手間がかかり、かつ、補修コストが高くなっていた。
【０００４】
本発明は、上記課題にかんがみてなされたもので、補修の手間を軽減させ、補修コストを低減させることを目的とする。
【課題を解決するための手段】
【０００５】
上記目的を達成するため、請求項１にかかる玄関ドアの発明は、単独でも玄関ドアとして使用可能なドア基材と、このドア基材の表面に対して着脱可能に取り付けられた板状のドア副材とを備えることを特徴とする。すなわち、ドア基材が単独でも玄関ドアとして使用可能であるので、玄関ドアを補修する際、補修業者は必ずしも玄関ドア全体を外して持ち帰らなければならない訳ではなく、ドア副材だけ持ち帰ることも可能である。ドア副材だけ持ち帰ると、代わりの玄関ドアを用意する必要がない。従って、補修の手間が軽減され、補修コストが低減される。
ここで、ドア副材が水平断面において曲線状に曲がった板状とされても、請求項１記載の発明に含まれる。
また、一つのドア基材に複数のドア副材が着脱可能に取り付けられる構成も、請求項１記載の発明に含まれる。
【０００６】
上記ドア基材の表面には、上記ドア副材を挿入して取り付け可能な凹部が形成され、上記ドア副材は、上記凹部に挿入されて上記ドア基材に対して着脱可能に取り付けられる構成としてもよい。ドア基材の凹部にドア副材を挿入するという簡易な構造で、ドア副材が取り付けられる。
【０００７】
上記凹部には上下左右の内側面のいずれかにおける上記表面側の縁部から相対向する内側面に向かって延出した延出部が形成されているとともに、当該延出部における上記表面側とは反対側の面と上記ドア副材における上記表面側の上部との間で着脱可能に嵌合する嵌合構造が形成されている構成としてもよい。すると、ドア副材がドア基材に対してより確実に取り付けられるとともに、ドア副材の取り付け構造が表面側から見えず、外観がより良好となる。
【０００８】
上記延出部が形成される内側面には、上記ドア基材と上記ドア副材との間を埋めるスペーサが設けられている構成としてもよい。すると、スペーサでドア基材とドア副材との間が埋められるので、ドア基材に対してドア副材が固定され、ドア副材がドア基材に対してさらに確実に取り付けられ、屋内外の気密性、水密性が十分に得られる。ここで、スペーサは予めドア基材に設けた状態でドア副材を固定してもよいし、ドア基材にドア副材を取り付けた後にその間に挿入するようにしてもよい。
【０００９】
上記ドア基材と上記ドア副材との間には、調整ビスの回し操作に応じて同ドア基材と同ドア副材とを互いに固定または解放させる取付金具が設けられている構成としてもよい。調整ビスを回す操作を行うことにより、ドア副材の取付を容易に行うことができる。
【００１０】
上記ドア副材に、上記延出部が形成された内側面に対応する位置の縁部に当該延出部を挿入させる溝を形成し、上記ドア副材の上記相対向する内側面に対応する位置の縁部における上記表面側とは反対側の面と上記ドア基材の凹部との間に上述したような取付金具を設けてもよい。ドア副材の溝にドア基材の延出部を挿入させ、当該溝とは反対側の縁部に設けられた取付金具の調整ビスを回すだけでドア基材に対してドア副材を着脱させることができるので、より容易にドア副材が取り付けられる。
【００１１】
上記取付金具は、上記ドア基材に取り付けられて上記ドア副材に向かって延出するとともに先端部が垂直方向に突出した第一の取付金具と、上記ドア副材に取り付けられて上記ドア基材に向かって延出するとともに先端部が垂直方向に突出して同第一の取付金具の先端部と係合可能とされた第二の取付金具とから構成され、上記ドア基材には、上記表面側と当該表面側の反対側となる裏面側とを貫通して上記第一の取付金具に設けられる上記調整ビスを回す操作を可能にさせる貫通穴が形成され、上記調整ビスは、上記第一の取付金具に設けられるとともに、上記貫通穴に挿入された当該調整ビスを回すための工具の回し操作に応じて上記第一および第二の取付金具の先端部どうしを互いに係合または解放させる構成としてもよい。表面側に調整ビスを回す操作を行うための穴が無いので、調整ビスも見えず、良好な外観が得られる。
【００１２】
上記凹部には、上下左右の内側面のうち相対向する内側面にそれぞれ凹形状の第一および第二の係合用凹部が形成され、上記ドア副材には上記第一の係合用凹部に対して挿入抜脱可能な第一の取付金具と上記第二の係合用凹部に対して挿入抜脱可能な第二の取付金具とが取り付けられ、当該第一および第二の取付金具は互いに吸引し合うように磁気を帯びているとともに調整ビスの回し操作に応じて上記第一および第二の係合用凹部に対して挿入抜脱して上記ドア基材と同ドア副材とを互いに固定または解放させる構成としてもよい。本構成によっても、調整ビスを回す操作を行うことにより、より容易にドア基材に対してドア副材を着脱させることができる。
【００１３】
上記ドア副材が複数種類設けられ、当該複数種類のドア副材が選択的に上記ドア基材の表面に対して着脱可能に取り付けられる構成としてもよい。すると、ドア副材のみを交換することにより玄関ドアを改装することができる。
【００１４】
上記ドア副材における上記表面側とは反対側の面には、当該ドア副材の反りを防止する反り防止機構が設けられている構成としてもよい。玄関ドアを長期間使用するとドア副材に反りが生じることがあり得るが、反り防止機構がドア副材に設けられているので、長期にわたってドア副材の反りが防がれ、ドア副材の剥がれ、割れ等を防止することができる。そして、反り防止機構が外部から見えないので、良好な外観が維持される。
【００１５】
ところで、上述した玄関ドアに用いられるドア基材単独でも市場に流通可能であるので、玄関ドア用ドア基材のみの構成としてもよい。また、上述した玄関ドアに用いられるドア副材単独でも市場に流通可能であるので、玄関ドア用ドア副材のみの構成としてもよい。むろん、請求項２〜請求項１０記載の構成を玄関ドア用ドア基材や玄関ドア用ドア副材に対応させることも可能である。
【発明の効果】
【００１６】
以上説明したように、請求項１、請求項１１、請求項１２にかかる発明によれば、玄関ドアの補修の手間を軽減させ、補修コストを低減させることが可能となる。
請求項２にかかる発明では、簡易な構造で、ドア副材をドア基材に対して着脱可能に取り付けることが可能となる。
請求項３にかかる発明では、より確実にドア副材をドア基材に取り付けることができるとともに、ドア副材の取り付け構造が表面側から見えないので玄関ドアの外観をより良好にさせることが可能となる。
【００１７】
請求項４にかかる発明では、さらに確実にドア基材に対してドア副材を取り付けることができ、屋内外の気密性、水密性を十分に確保することができる。
請求項５にかかる発明では、容易にドア副材をドア基材に対して着脱可能に取り付けることが可能となる。
請求項６、請求項８にかかる発明では、より容易にドア副材を着脱可能に取り付けることが可能となる。
【００１８】
請求項７にかかる発明では、表面側に調整ビスを回す操作を行うための穴が無いので、外観をより良好にさせることが可能となる。
請求項９にかかる発明では、ドア副材のみを交換することにより玄関ドアを改装することができるので、玄関ドアを改装する際にコストを低減させるとともに、玄関ドアの使い勝手を向上させることが可能となる。
請求項１０にかかる発明では、良好な外観を維持しながらドア副材の耐久性を向上させることができる。
【発明を実施するための最良の形態】
【００１９】
以下、下記の順序に従って本発明の実施形態を説明する。
（１）第一の実施形態：
（２）第二の実施形態：
（３）第三の実施形態：
（４）第四の実施形態：
【００２０】
（１）第一の実施形態：
図１は本発明の第一の実施形態にかかる玄関ドア１０を屋外側から見て示す正面図であり、図２はドア基材２０に化粧板（ドア副材）３０を取り付ける様子を図１のＡ１−Ａ１の位置から見て示す垂直断面図であり、図３はドア基材２０に化粧板３０を取り付けた様子を図１のＡ１−Ａ１の位置から見て示す垂直断面図である。
玄関ドア１０は、長方形状の開口９０ａを有する金属製の枠構造９０に填め込まれている。図の玄関ドアではドア基材２０において屋外側となる表面２１の左側部位にハンドル２０ａが配置されており、ドア基材２０の右側部位には、上部に上部ドア側ピボットヒンジ２０ｂが配置され、下部に下部ドア側ピボットヒンジ２０ｃが配置されている。一方、枠構造９０の右側には、ドア側ピボットヒンジ２０ｂ，ｃの対向位置にそれぞれ枠側ピボットヒンジ９０ｂ，ｃが配置されている。ピボットヒンジ９０ｃ，２０ｂの軸芯をピボットヒンジ２０ｃ，９０ｂの軸受けに装着すると、玄関ドア１０を枠構造９０に取り付けることができる。また、各ピボットヒンジ９０ｂ，２０ｃの軸受けにて調整ネジを所定方向へ回転させると、枠構造９０に対する玄関ドア１０の位置を前後左右へ調節することができる。そして、屋外からハンドル２０ａを前方へ引くと、各ピボットヒンジ９０ｂ，２０ｃを結ぶ鉛直軸を支軸として玄関ドア１０を前方へ開くことができる。
【００２１】
ドア基材２０は、屋外側および屋内側から見て長方形状となる略平板状に形成されており、屋外と屋内とを結ぶ貫通穴が形成されておらず、単独でも玄関ドアとして使用可能とされている。このドア基材の表面２１には表面２１側とは反対側となる屋内側の裏面２２に向かって窪んだ凹部２４が形成され、これによりドア基材２０は断面略Ｃ字状（図２では略Ｃ字の左右逆の形状）に形成されている。この凹部２４にて、化粧板３０の裏面３２側を挿入して取り付け可能となっている。なお、本実施形態のドア基材の裏面２２は、略平坦に形成されているが、新聞受け等が形成されていてもよい。化粧板３０は、屋外側および屋内側から見て長方形状となる平板状に形成されており、ドア基材の凹部２４に裏面３２側を挿入されてドア基材の表面２１に対して着脱可能に取り付けられる。
なお、ドア基材と化粧板は、金属製、木製、等、様々な材質で形成可能である。後述する第二の実施形態以下でも、同様である。
【００２２】
凹部２４には、上側の内側面２４ａにおける表面２１側の縁部２５ａから相対向する下側の内側面２４ｂに向かって下方に延出した延出部２５ｂが形成されている。この延出部２５ｂにおける表面２１側とは反対側の面２４ｃには、表面２１側に向かって窪んだ嵌合用凹部２５ｃが形成されている。一方、化粧板３０の上側縁部には、裏面３２側にて上方に延出した副材延出部３４ａが形成されている。この副材延出部３４ａにおける先端側の縁部３４ｂには、表面３１側に延出した嵌合用凸部３４ｃが形成されている。化粧板３０における表面３１側の上部となる嵌合用凸部３４ｃは嵌合用凹部２５ｃに挿入して着脱可能に嵌合するようになっており、これら嵌合用凹部２５ｃと嵌合用凸部３４ｃとから嵌合構造が形成されている。
また、ドア基材における延出部２５ｂと相対向する内側面２４ｂは、ドア基材に取り付けられた状態での化粧板の裏面３２よりも屋外方向に延出している。これにより、取り付けられた状態の化粧板３０がドア基材２０から脱落せず、確実に取り付け状態を維持することができる。
【００２３】
さらに、凹部における上下左右の内側面には、ドア基材２０と化粧板３０との間を埋めるスペーサ４０が設けられている。このスペーサ４０は、弾性や塑性を示す素材で形成され、ドア基材２０の上下左右の内側面および当該上下左右の内側面で囲まれた基底部２４ｄの上下左右の縁部と、化粧板の裏面３２における上下左右の縁部と、に密着して、化粧板３０を固定させるとともに、玄関ドア１０に気密性や水密性を付与する。ここで、スペーサ４０は化粧板３０で隠される位置に配置されており、ドア基材に化粧板を取り付けた後にスペーサを化粧板の表面側とドア基材との隙間に押し込む場合と比べて玄関ドアの外観を向上させることができる。スペーサの素材としては各種の合成ゴム、天然ゴム、軟質の合成樹脂、等を用いることができ、スペーサには各種のパッキン、シール材、等を用いることができる。
【００２４】
ドア基材に化粧板を取り付ける際には、まず、スペーサ４０をドア基材２０の上下左右の内側面を取り付ける。次に、図２に示すように化粧板３０の上側を裏面３２側に傾けて、基底部２４ｄの上部と延出部２５ｂの裏面と上側の内側面２４ａとで形成される溝２４ｅに副材延出部３４ａを挿入する。そして、嵌合用凸部３４ｃを嵌合用凹部２５ｃに挿入して当該嵌合用凹部２５ｃに嵌合させ、化粧板３０の下側を裏面側に押して凹部の基底部２４ｄに化粧板の裏面３２を当接させて、化粧板３０の下側縁部３４ｄを凹部における下側の内側面２４ｂの上に載置させる。これにより、ドア副材がドア基材に対して容易かつ確実に取り付けられ、ドア副材の取り付け構造が表面側から見えないので良好な外観が得られる。
一方、ドア基材から化粧板を取り外す際には、化粧板３０の下側を表面側に引っ張って下側縁部３４ｄを凹部における下側の内側面２４ｂよりも表面側に引き出し、嵌合用凸部３４ｃを嵌合用凹部２５ｃから引き抜いて嵌合用凹部２５ｃとの嵌合状態から解放させる。次に、上記溝２４ｅから副材延出部３４ａを引き抜く。これにより、ドア副材がドア基材から容易かつ確実に取り外される。
【００２５】
玄関ドアを補修する際、従来は着脱可能なドア副材が設けられていなかったため、補修業者が代わりの代替ドアを用意し、補修対象の玄関ドアの代わりに代替ドアを嵌めたうえで、補修対象の玄関ドアを持ち帰って補修していた。しかし、代替ドアを準備するためのコストがかかってしまうし、玄関ドア全体を持ち帰る必要があるので輸送も大変であり、補修に手間がかかってしまう。
本発明では、ドア基材をそのままでも玄関ドアとして使用可能な部材にし、着脱可能なドア副材を設けたことにより、補修の手間を軽減させ、補修コストを低減させることを可能にしている。
【００２６】
次に、本玄関ドア１０の作用を説明する。
通常は、板状の化粧板３０をドア基材２０の表面に取り付けた玄関ドア１０としておく。これにより、従来の玄関ドアと同様にして本玄関ドア１０を使用することができる。
化粧板３０に剥がれ、割れ、等、補修をする必要が生じたとき、ドア基材２０が単独でも玄関ドアとして使用可能であるので、補修業者は上述したようにして化粧板３０を取り外し、持ち帰って補修することができる。このように、補修業者は、玄関ドアを補修する際、必ずしも玄関ドア全体を外して持ち帰らなくてもよくなり、代わりの玄関ドアを用意する必要がなくなる。従って、代替ドアを準備するためのコストがかからず、玄関ドアよりも小さいドア副材だけを輸送すればよいので輸送も容易であり、補修の手間も軽減される。
また、ドア基材の凹部に形成された延出部の屋内側の面とドア副材における屋外側の上部との間で嵌合構造が形成されているので、より確実にドア副材をドア基材に取り付けることができ、さらに、ドア副材の取り付け構造が屋外から見えないので良好な外観が得られる。
さらに、凹部の上下左右の内側面にドア基材とドア副材との間を埋めるスペーサが設けられているので、ドア基材とドア副材との間が埋められ、さらに確実にドア副材をドア基材に取り付けることができる。また、屋内外の気密性、水密性が十分に確保される。
【００２７】
なお、ドア基材は、のぞき穴等、表面側と裏面側とを結ぶ直径１ｃｍ程度以下の小さな貫通穴が形成された部材でもよく、この場合も単独で玄関ドアとして使用可能と言える。
ドア副材は、水平断面が曲線状に曲がった板状でもよい。
ドア基材とドア副材とが嵌合する嵌合構造は、凹部およびドア副材の上下左右のいずれに形成されてもよい。ここで、ドア副材と嵌合構造を形成する延出部と相対向する内側面が屋外方向に延出していると、さらに確実にドア基材に対してドア副材を取り付けることができる。
ドア副材と嵌合構造を形成する延出部は、当該延出部が形成される内側面が屋外方向に延出して当該内側面の屋外方向の縁部から相対向する内側面に向かって延出していてもよい。
ドア基材に取り付けたドア副材を固定する際には、ドア副材の裏面側に予めスペーサを設けた後にドア副材をドア基材に取り付けて当該スペーサによって固定させると良好な外観が得られる点で好適であるが、ドア副材の表面側とドア基材との隙間にゴムビート等のスペーサを押し込んでドア副材を固定するようにしてもよい。
【００２８】
図４に示すように、一つのドア基材２０に対して複数のドア副材３０を着脱可能に取り付けてもよい。
図５に示すように、ドア基材５４の共通の凹部５５に取り付け可能なドア副材を複数種類設け、当該複数種類のドア副材５６，５７を選択的にドア基材５４の表面に対して着脱可能に取り付けてもよい。図では、ドア基材５４に第一のドア副材５６を取り付けて第一の玄関ドア５１を構成し、同じドア基材５４に第二のドア副材５７を取り付けて第二の玄関ドア５２を構成していることが示されている。このように、複数のドア副材の中から所望のドア副材に交換することが可能であるので、ドア副材のみを交換することにより玄関ドアを改装することができる。従って、玄関ドアを低コストにて改装することができ、玄関ドアの使い勝手が向上する。なお、一つのドア基材に対して複数のドア副材を着脱可能に取り付ける場合、ドア副材を取り付ける各位置にて複数種類のドア副材を選択的にドア基材に対して着脱可能に取り付ける構成とすることができる。
なお、以上述べた各種変形例は、第二の実施形態以下でも同様に適用される。
【００２９】
（２）第二の実施形態：
図６は本発明の第二の実施形態にかかる玄関ドア１１０の要部を図４のＡ２−Ａ２の位置に相当する位置から見て示す水平断面図であり、図７は調整ビスの回し操作に応じた取付金具の係合状態を示す要部上面図であり、図８は化粧板（ドア副材）１３０をドア基材１２０から取り外す状態における玄関ドア１１０の要部を示す水平断面図である。本玄関ドア１１０は、屋外から見た外観が図４で示した玄関ドア１０と同様にされており、図６と図８では複数の化粧板のうち一つの化粧板が取り付けられた部分の玄関ドア１１０を示してある。
【００３０】
本玄関ドア１１０も、単独でも玄関ドアとして使用可能なドア基材１２０と、このドア基材の表面１２１に形成された凹部１２４に対して着脱可能に取り付けられた平板状の化粧板１３０とを備えている。
凹部１２４には、右側（図の下側）の内側面１２４ａにおける表面１２１側の縁部１２５ａから相対向する左側（図の上側）の内側面１２４ｂに向かって左方に延出した延出部１２５ｂが形成されている。一方、化粧板１３０の右側縁部（図の下側）には右方に延出した表側延出部１３４ａが形成されるとともに裏面方向に延出した裏面延出部１３４ｂが形成され、当該裏面延出部の右側面（図の下側）における裏面側の縁部から右方（図の下側）に延出した裏側延出部１３４ｃが形成されている。裏面延出部１３４ｂの右側面と表側延出部１３４ａの裏面と裏側延出部１３４ｃとから、延出部１２５ｂが形成された内側面１２４ａに対応する位置の化粧板１３０の縁部に当該延出部１２５ｂを挿入させる溝１３４ｄが形成されている。裏面延出部１３４ｂの右側面と、表側延出部１３４ａの裏面と、裏側延出部１３４ｃと、延出部１２５ｂとから、第二の嵌合構造が形成される。
【００３１】
本実施形態では、化粧板１３０の上記相対向する左側内側面１２４ｂに対応する位置の左側縁部における表面１３１側とは反対側の面１３２とドア基材の凹部１２４との間に、調整ビス１４４の回し操作に応じてドア基材と化粧板とを互いに固定または解放させる金属製の取付金具１４０，１５０を設けている。図２に示すように、第一の取付金具１４０は金属板からなる第一の金具本体１４２と調整ビス１４４と調整部材１４６とを備え、第二の取付金具１５０は金属板からなる第二の金具本体１５２とビス１５４とを備えている。第一の金具本体１４２は、基部１４２ａにてドア基材１２０に取り付けられ、化粧板１３０に向かって延出して弾性を示すとともに、先端部１４２ｂが垂直な右方向（図の下方向）に突出している。この金具本体１４２は、さらに、基部１４２ａと先端部１４２ｂとの間で右方向（図の下方向）に突出するとともに右側縁部（図の下側）が表面側となるほどテーパ状に右方向に突出した中間突出部１４２ｃが形成されている。第二の金具本体１５２は、基部１５２ａにて化粧板１３０に取り付けられ、ドア基材１２０に向かって延出して弾性を示すとともに、先端部１５２ｂが垂直な左方向（図の上方向）に突出して第一の取付金具の先端部１４２ｂと係合可能とされている。
ドア基材１２０には、表面１２１側と当該表面側の反対側となる裏面１２２側とを貫通した貫通穴１２６が形成されている。この貫通穴は、第一の取付金具に設けられる調整ビス１４４を回す操作を可能にさせる。
【００３２】
調整ビス１４４は、第一の取付金具１４０に設けられ、調整ビスを回すための回し工具（例えば、マイナスドライバー）を用いて回すことが可能である。図７の拡大図に示すように、本調整ビス１４４は、頭部１４４ａ側の雄ねじ部１４４ｂと先端側の雄ねじ部１４４ｃとでねじの方向が反対にされている。ここで、第一の金具本体の基部１４２ａに頭部側雄ねじ部１４４ｂと螺合する雌ねじが形成され、調整部材１４６に先端側雄ねじ部１４４ｃと螺合する雌ねじが形成されている。調整ビス１４４を所定の回転方向（例えば、右回り）に回すと図の上段に示すように基部１４２ａと調整部材１４６との間が狭まり、当該所定の回転方向とは反対方向（例えば、左回り）に回すと基部１４２ａと調整部材１４６との間が広がる。調整部材１４６の左側縁部（図の上側）は中間突出部１４２ｃの右側縁部（図の下側）と当接しており、調整部材１４６は、基部１４２ａから離れると中間突出部１４２ｃひいては先端部１４２ｂを左方向（図の上方向）に押し、両金具本体の先端部１４２ｂ，１５２ｂどうしの係合を解除させる。従って、調整ビス１４４は、貫通穴１２６に挿入された回し工具の回し操作に応じて第一および第二の取付金具の先端部１４２ｂ，１５２ｂどうしを互いに係合または解放させる。
【００３３】
ドア基材に化粧板を取り付ける際には、まず、ドア基材の凹部１２４に金具本体１４２を取り付け、さらに、基部１４２ａと調整部材１４６との間に隙間がほとんど無い状態となるように調整ビス１４４と調整部材１４６とを取り付ける。また、化粧板の裏面１３２には、ビス１５４を用いて金具本体１５２を取り付ける。次に、図８に示すように化粧板１３０の左側を表面１３１側に傾けて、上記溝１３４ｄに延出部１２５ｂを挿入する。そして、化粧板１３０の左側を裏面側に押し、化粧板の裏面１３２の左側をドア基材の表面１２１に当接させる。すると、取付金具の先端部１４２ｂ，１５２ｂどうしが金具本体１４２，１５２の撓み動作を経た後に互いに乗り越えて係合する。これにより、化粧板の溝１３４ｄにドア基材の延出部１２５ｂを挿入させ、当該溝とは反対側の位置で化粧板１３０を押すだけでドア基材に対して化粧板を取り付けることができる。従って、ドア副材がドア基材に対して容易かつ確実に取り付けられ、ドア副材の取り付け構造が表面側から見えないので良好な外観が得られる。
【００３４】
一方、ドア基材から化粧板を取り外す際には、まず、回し工具を貫通穴１２６に挿入して調整ビス１４４を上記所定の回転方向とは反対方向に回す。すると、調整部材１４６が基部１４２ａから離れるように表面側に移動し、金具本体の中間突出部１４２ｃひいては先端部１４２ｂを左方向に押すので、先端部１４２ｂ，１５２ｂどうしの係合が解除される。そこで、化粧板１３０の左側を表面１３１側に引っ張って傾け、延出部１２５ｂを上記溝１３４ｄから引き抜かせるように化粧板１３０を引き抜く。これにより、調整ビスを回す操作を行うことによって、ドア副材が容易かつ確実にドア基材から取り外される。
【００３５】
以上説明したように、本玄関ドア１１０では、調整ビスを回す操作を行うことにより、容易にドア副材をドア基材に対して着脱可能に取り付けることが可能となる。また、ドア副材の溝にドア基材の延出部を挿入させ、当該溝とは反対側の縁部に設けられた取付金具の調整ビスを回すだけでドア基材に対してドア副材を着脱させることができるので、より容易にドア副材を着脱可能に取り付けることが可能となる。さらに、表面側に調整ビスを回す操作を行うための穴が無いので、調整ビスも見えず、外観をより良好にさせることが可能となる。
【００３６】
なお、取付金具の取付位置は、凹部およびドア副材の上下左右のいずれに形成されてもよい。また、取付金具の取付位置に応じて、延出部および当該延出部を挿入させる溝も凹部およびドア副材の上下左右のいずれに形成されてもよい。
図９に示すように、延出部および当該延出部を挿入させる溝を形成せず、凹部１２４の基底部１２４ｄにおいて凹部１２４の上下左右の内側面のうち相対向する内側面の近傍とドア副材１３０の裏面との間にそれぞれ取付金具を取り付けてもよい。本変形例では、左側の内側面の近傍において、基底部１２４ｄに調整ビス１６３を備える第一の取付金具１６２を取り付け、ドア副材１３０の裏面に第二の取付金具１６６を取り付けている。また、右側の内側面の近傍において、基底部１２４ｄに調整ビス１６５を備える第一の取付金具１６４を取り付け、ドア副材１３０の裏面に第二の取付金具１６８を取り付けている。本変形例でも、調整ビスを回す操作を行うことにより、容易にドア副材をドア基材に対して着脱可能に取り付けることができる。
【００３７】
（３）第三の実施形態：
図１０と図１１は本発明の第三の実施形態にかかる玄関ドア２１０の要部を図４のＡ２−Ａ２の位置に相当する位置から見て示す水平断面図であり、図１０は化粧板（ドア副材）２３０が解放状態であるときの様子を示し、図１１は化粧板２３０が固定状態であるときの様子を示している。
本玄関ドア２１０も、単独でも玄関ドアとして使用可能なドア基材２２０と、このドア基材の表面２２１に形成された凹部２２４に対して着脱可能に取り付けられた平板状の化粧板２３０とを備えている。
凹部２２４には、上下左右の内側面のうち相対向する左右の内側面２２４ａ，ｂにそれぞれ凹形状の第一および第二の係合用凹部２２５ａ，ｂが形成されている。一方、化粧板２３０には、第一の係合用凹部２２５ａに対して挿入抜脱可能な第一の取付金具２４２と、第二の係合用凹部２２５ｂに対して挿入抜脱可能な第二の取付金具２４４とが取り付けられている。これらの取付金具２４２，２４４は、一種のマグネットであり、互いに吸引し合うように磁気を帯びている。そして、取付金具２４２，２４４は、調整ビス２４６の回し操作に応じて係合用凹部２２５ａ，ｂに対して挿入抜脱してドア基材２２０と化粧板２３０とを互いに固定または解放させる。
なお、取付金具が係合用凹部に対して脱抜するとは、係合用凹部に挿入していた取付金具が当該係合用凹部から抜けることをいう。
【００３８】
本実施形態では、調整ビス２４６に調整部材２４８，２４９が取り付けられている。調整ビスの先端側の調整部材２４８は、垂直断面が例えば長方形状に形成されるとともに裏面側（屋内側）となるほど左右方向の幅が大きくなるテーパ状に形成され、調整ビスの軸方向に移動可能となっている。調整ビスの頭部側の調整部材２４９は、垂直断面が例えば長方形状に形成されるとともに裏面側がドア基材の凹部２２４の基底部２２４ｄに固定され、移動しないようになっている。ここで、調整ビス２４６における頭部側調整部材２４９よりも表面側の位置では、所定方向の雄ねじが形成されている。一方、先端側調整部材２４８には、この雄ねじと螺合する雌ねじが形成されている。また、頭部側調整部材２４９は、調整ビス２４６が表面側あるいは裏面側に水平移動しないように、調整ビス２４６を回転可能に支持している。これにより、調整ビス２４６を所定の回転方向（例えば、右回り）に回転させると、図１０に示すように両調整部材２４８，２４９の間が狭まり、当該所定の回転方向とは反対方向（例えば、左回り）に回すと図１１に示すように両調整部材２４８，２４９の間が広がる。先端側調整部材２４８は、左右側面にて取付金具２４２，２４４に挟まれ、かつ、両取付金具２４２，２４４が互いに吸引し合っているのでこれらの取付金具２４２，２４４に当接している。
以上により、取付金具２４２，２４４は、先端側調整部材２４８が表面側に移動すると係合用凹部２２５ａ，ｂに挿入して当該係合用凹部と係合し、先端側調整部材２４８が裏面側に移動すると係合用凹部２２５ａ，ｂから抜けて係合を解除させる。
【００３９】
ドア基材２２０には、表面２２１側と当該表面側の反対側となる裏面２２２側とを貫通した貫通穴２２６が形成されている。この貫通穴は、調整ビス２４６を回す操作を可能にさせる。従って、調整ビス２４６は、貫通穴１２６に挿入された回し工具の回し操作に応じて取付金具２４２，２４４とドア基材２２０とを互いに係合または解放させる。
【００４０】
ドア基材に化粧板を取り付ける際には、まず、図１０に示す位置関係にてドア基材の凹部２２４に調整ビス２４６および調整部材２４８，２４９を取り付ける。また、化粧板の裏面には、取付金具２４２，２４４を取り付ける。次に、化粧板２３０をドア基材の凹部２２４に挿入する。この状態が図１０に示す状態である。そして、回し工具を貫通穴２２６に挿入して調整ビス２４６を上記所定の回転方向とは反対方向に回す。すると、先端側調整部材２４８が表面側に移動し、両取付金具２４２，２４４が互いに離れる方向に移動して係合用凹部２２５ａ，ｂに挿入して当該係合用凹部と係合する。これにより、調整ビスを回す操作を行うことによって、ドア基材に対して化粧板を取り付けることができる。従って、ドア副材がドア基材に対して容易かつ確実に取り付けられ、ドア副材の取り付け構造が表面側から見えないので良好な外観が得られる。
【００４１】
一方、ドア基材から化粧板を取り外す際には、まず、回し工具を貫通穴２２６に挿入して調整ビス２４６を上記所定の回転方向に回す。すると、先端側調整部材２４８が裏面側に移動し、両取付金具２４２，２４４が磁気により互いに近づく方向に移動して係合用凹部２２５ａ，ｂから抜けて当該係合用凹部との係合が解除される。そこで、化粧板２３０を表面２３１側に引っ張ると、化粧板２３０を引き抜くことができる。これにより、調整ビスを回す操作を行うことによって、ドア副材が容易かつ確実にドア基材から取り外される。
以上説明したように、本玄関ドア２１０でも、調整ビスを回す操作を行うことにより、容易にドア副材をドア基材に対して着脱可能に取り付けることが可能となる。
【００４２】
（４）第四の実施形態：
玄関ドアは、温度や湿度等が変化する環境下にさらされた状態で使用される。特に、ドア副材を木製にした場合には、変化する環境により、ドア副材の経時的な反り変形をもたらすことになる。すると、化粧板が剥がれたり、割れたりするおそれがある。そこで、図１２に示す玄関ドア３１０のように、化粧板（ドア副材）３３０における表面３３１側とは反対側の裏面３３２に当該ドア副材の反りを防止する反り防止機構３４１〜３４４を設けると、ドア副材の反りを防止することができるので好適である。本玄関ドア３１０は、屋外から見た外観が図１で示した玄関ドア１０と同様にされている。ここで、図１２は第四の実施形態にかかる玄関ドア３１０を図１のＡ１−Ａ１の位置に相当する位置から見て示す垂直断面図であり、図１３は化粧板の反りを矯正する様子を示す垂直断面図である。本玄関ドア３１０も、単独でも玄関ドアとして使用可能なドア基材３２０と、このドア基材の表面に形成された凹部３２４に対して着脱可能に取り付けられた平板状の化粧板３３０とを備えている。
【００４３】
化粧板３３０の裏面３３２には表面側（屋外側）に向かって窪んだ凹部が形成され、この凹部に表面側調整部材３４１が固定されている。また、表面側調整部材３４１の裏側面には上下に隙間形成部材３４３，３４３が取り付けられており、これらの隙間形成部材３４３，３４３における裏側端部に裏面側調整部材３４２が取り付けられている。そして、調整ビス３４４が調整部材３４１，３４２の略中央部分に取り付けられている。ここで、調整ビス３４４を所定の回転方向（例えば、右回り）に回転させると両調整部材３４１，３４２の間が狭まり、当該所定の回転方向とは反対方向（例えば、左回り）に回すと両調整部材３４１，３４２の間が広がる。化粧板３３０の反りを矯正する際には、ドア基材３２０から化粧板３３０を取り外し、回し工具を用いて調整ビス３４４を回して両調整部材３４１，３４２の略中央部分の間隔を調節することにより、化粧板の反りを矯正する。
【００４４】
図１３の上段に示すように化粧板３３０の中間部分が裏面側に反った場合には、調整ビス３４４を上記所定の回転方向とは反対方向に回せばよい。すると、両調整部材３４１，３４２の略中央部分の間隔が広がり、化粧板３３０の中間部分が表面側に押されて、図１３の下段に示すように化粧板３３０の反りが矯正される。一方、化粧板３３０の中間部分が表面側に反った場合には、調整ビス３４４を上記所定の回転方向に回せばよい。すると、両調整部材３４１，３４２の略中央部分の間隔が狭まり、化粧板３３０の中間部分が裏面側に引っ張られて化粧板３３０の反りが矯正される。
以上により、ドア副材に反りが生じても、反り防止機構がドア副材に設けられているので、長期にわたってドア副材の反りを防ぐことができ、ドア副材の剥がれ、割れ等が防止される。そして、反り防止機構が外部から見えないので、良好な外観が維持されながらドア副材の耐久性が向上する。
なお、第二、第三の実施形態で説明した取付金具を設けた玄関ドアのドア副材に反り防止機構を設けることも可能である。
以上説明したように、本発明によると、種々の態様により、玄関ドアの補修の手間を軽減させ、補修コストを低減させることが可能となる。
【図面の簡単な説明】
【００４５】
【図１】第一の実施形態の玄関ドアを屋外側から見て示す正面図。
【図２】ドア基材にドア副材を取り付ける様子を図１のＡ１−Ａ１の位置から見て示す垂直断面図。
【図３】ドア基材にドア副材を取り付けた様子を図１のＡ１−Ａ１の位置から見て示す垂直断面図。
【図４】複数のドア副材を設けた玄関ドアを屋外側から見て示す正面図。
【図５】ドア副材を交換可能な玄関ドア並びにドア基材およびドア副材を屋外側から見て示す正面図。
【図６】第二の実施形態の玄関ドアを図４のＡ２−Ａ２に相当するの位置から見て示す水平断面図。
【図７】調整ビスの回し操作に応じた取付金具の係合状態を示す要部上面図。
【図８】ドア副材をドア基材から取り外す状態における玄関ドアの要部を示す水平断面図。
【図９】変形例にかかる玄関ドアを図４のＡ２−Ａ２に相当する位置から見て示す水平断面図。
【図１０】第三の実施形態の玄関ドアを図４のＡ２−Ａ２に相当する位置から見て示す水平断面図。
【図１１】第三の実施形態の玄関ドアを図４のＡ２−Ａ２に相当する位置から見て示す水平断面図。
【図１２】第四の実施形態の玄関ドアを図１のＡ１−Ａ１に相当する位置から見て示す垂直断面図。
【図１３】第四の実施形態のドア副材を図１のＡ１−Ａ１に相当する位置から見て示す垂直断面図。
【符号の説明】
【００４６】
１０，５１，５２，１１０，２１０，３１０…玄関ドア
２０，５４，１２０，２２０，３２０…ドア基材
２４，５５，１２４，２２４，３２４…凹部
２４ａ，２４ｂ，１２４ａ，１２４ｂ，２２４ａ，２２４ｂ…内側面
２４ｄ，１２４ｄ，２２４ｄ…基底部
２４ｅ，１３４ｄ…溝
２５ｂ，１２５ｂ…延出部
２５ｃ…嵌合用凹部
３０，５６，５７，１３０，２３０，３３０…化粧板（ドア副材）
３４ａ…副材延出部
３４ｃ…嵌合用凸部
４０…スペーサ
１２６，２２６…貫通穴
１４０，１６２，１６４…第一の取付金具
１４２…第一の金具本体
１４４，１６３，１６５，２４６…調整ビス
１４６，２４８，２４９…調整部材
１５０，１６６，１６８…第二の取付金具
１５２…第二の金具本体
２２５ａ，ｂ…係合用凹部
２４２…第一の取付金具
２４４…第二の取付金具
３４１〜３４４…反り防止機構
【図１】
2006138076.tif 000003
【図２】
2006138076.tif 000004
【図３】
2006138076.tif 000005
【図４】
2006138076.tif 000006
【図５】
2006138076.tif 000007
【図６】
2006138076.tif 000008
【図７】
2006138076.tif 000009
【図８】
2006138076.tif 000010
【図９】
2006138076.tif 000011
【図１０】
2006138076.tif 000012
【図１１】
2006138076.tif 000013
【図１２】
2006138076.tif 000014
【図１３】
2006138076.tif 000015